(57)【要約】      （修正有）【課題】簡易な構造により製造コストを抑え、かつ、容器本体の耐久性を向上させるとともに、梱包時にも嵩張ることなく、清掃容易な収納容器であって、かつ、使用者の手に馴染む形状を有する収納容器を提供する。【解決手段】収納部２を複数設けてなる容器本体１と、収納部上部の突条周壁との嵌合又は螺着により着脱自在なキャップ３とからなり、各収納部を、結合部４および補強部５により連設した、また、結合部の外縁は隣接する収納部との間で内向きに湾曲した円弧を形成し、補強部は、結合部に垂設した補強部であって、隣接する収納部下部との間で内向きに湾曲した円弧を形成し、結合部の外縁が形成する円弧および補強部が形成する円弧の半径値が、キャップと略同一半径値である。【選択図】図２
2008094415.tif 000002
【特許請求の範囲】
【請求項１】
収納部を複数設けてなる容器本体と、該収納部上部の突条周壁との嵌合又は螺着により着脱自在なキャップとからなり、各収納部を、結合部および補強部により連設したことを特徴とする収納容器。
【請求項２】
前記結合部の外縁は隣接する前記収納部との間で内向きに湾曲した円弧を形成し、前記補強部は、該結合部に垂設した補強部であって、隣接する収納部下部との間で内向きに湾曲した円弧を形成し、前記結合部の外縁が形成する円弧および該補強部が形成する円弧の半径値が、前記キャップと略同一半径値であることを特徴とする請求項１に記載の収納容器。
【発明の詳細な説明】
【技術分野】
【０００１】
本発明は、複数種類の物品を一度に収納することが可能な収納容器に関し、更に、簡易な構造により耐久性を向上させ、梱包時にも嵩張ることがなく、かつ、低コストで製造することが可能な収納容器に関するものである。
【背景技術】
【０００２】
従来、複数種類の物品を一定量ずつ、区別して収納する合成樹脂製の容器が知られている。
例えば、下部材により環状に配置した複数の椀状容器体を中央の第１連結基板外縁部に連結し、上部材により前記第１連結基板上に嵌着固定した第２連結基板外縁部よりヒンジ部を介して延設した複数の蓋体を前記容器体の上端開口を閉塞して夫々開閉可能に嵌合させたことを特徴とする複合容器が公知となっている（特許文献１参照。）。
【特許文献１】特開２００３−３２１０４１号公報
【発明の開示】
【発明が解決しようとする課題】
【０００３】
上記特許文献１に記載の技術によると、上部材、下部材が複雑な構造を有することから製造工程の簡略化には限界があり、製造コスト面で改善の余地が残る。容器体が環状配置された形状をなすことから、複数個の該容器体を梱包する際には嵩張ることとなり、一個当たりの配送コスト高も避けられない。
【０００４】
容器体の大きさに比べて結合部分が肉薄であることから、当該部分の耐久性についても改善の余地がある。
【０００５】
また、細かな造作を備えたヒンジ部は、塵埃の集積や雑菌の繁殖が避けられないため、小まめな清掃が必要となる。
【０００６】
上記の点に鑑みて、本発明は、簡易な構造により製造コストを抑え、かつ、容器本体の耐久性を向上させるとともに、梱包時にも嵩張ることのない清掃容易な収納容器であって、更に、使用者の手に馴染む形状を備えた収納容器を提供することを課題とする。
【課題を解決するための手段】
【０００７】
上記課題を解決するために、本発明は次の構造とした。即ち、請求項１に記載の組合せ収納容器は、収納部を複数設けてなる容器本体と、該収納部上部の突条周壁との嵌合又は螺着により着脱自在なキャップとからなり、各収納部を、結合部および補強部により連設したことを特徴とする。
【０００８】
請求項２に記載の収納容器は、請求項１に記載の構造において、前記結合部の外縁は隣接する前記収納部との間で内向きに湾曲した円弧を形成し、前記補強部は、該結合部に垂設した補強部であって、隣接する収納部下部との間で内向きに湾曲した円弧を形成し、前記結合部の外縁が形成する円弧および該補強部が形成する円弧の半径値が、前記キャップと略同一半径値であることを特徴とする。
【発明の効果】
【０００９】
請求項１に記載の収納容器によれば、収納容器本体にかかる様々な方向からの力に対して高い耐久性を示した上、簡易な構造であることから製造コストを抑えることができる。
【００１０】
また、請求項２に記載の構造によれば、梱包時にも嵩張ることがなく一個当たりの配送コストを低く抑えることができるとともに、結合部および補強部が有する円弧形状が使用者の手指に馴染むことから取り扱いが一層容易な収納容器となる。
【発明を実施するための最良の形態】
【００１１】
〔第一の実施形態〕
以下、本発明の第一の実施形態を図面に基づいて説明する。
本実施の形態はクリーム状、粉状の化粧品や、サプリメント、医薬品などの錠剤、食用錠剤菓子のほか、ピアスなどのアクセサリーといった小物類等を収納、保管する収納容器に関するものである。
【００１２】
図１は本発明の一実施の形態に係る収納容器の閉蓋状態の斜視図、図２は図１の収納容器のキャップを外した状態を示す斜視図、図３は結合部を示す説明図、図４は図１の収納容器の底側を示す斜視図、図５は比較例を示す収納容器の底側を示す斜視図、図６は収納容器にかかる力を示す説明図、図７は図１の収納容器の底面図であって、円弧半径を示す説明図、図８は収納容器を複数並べた状態を示す図、図９は使用者が収納容器を握った状態を示す図である。
【００１３】
図中、１は本発明に係る収納容器本体、２は収納部、３はキャップ、４は結合部、５は補強部、Ｐは収納容器にかかる力、ｒは円弧半径である。
【００１４】
本実施形態に係る収納容器本体１およびキャップ３の材質は、ポリエチレン、ポリプロピレン、塩化ビニル、ポリスチレン、アクリル樹脂、ポリエチレンテレフタレートなどの熱可塑性樹脂である。
【００１５】
また、前記以外に、ポリ乳酸系、ポリブチレンサクシネート系、デンプン系などの生分解性プラスチックその他本願発明の特徴を損なわないものであれば用いてもよい。
【００１６】
収納容器本体１およびキャップ３は、上記合成樹脂等を公知の射出成型法のほか、圧縮法や押し出し法といった公知の合成樹脂成型法により、それぞれ一体的に成型して得られる。
【００１７】
収納容器本体１は、収納部２が結合部４および補強部５により連設してなる（図２）。各収納部２は、該収納部２上部の突条周壁２ａとの螺着により着脱自在なキャップ３を備え、該キャップ３の外周は滑り止め加工３ａが施されている。
【００１８】
結合部４は、その外縁４ａが隣接する収納部２との間で内向きに湾曲した円弧を形成する（図３）。即ち、収納容器本体１長手方向の中心線ｔに向け内側に湾曲して円弧４ａを形成し、収納部２のフランジ部２ｂと面一に形成する。
【００１９】
補強部５は、説明上、特に斜線で示すように（図４）、結合部４に垂設した補強部であって、隣接する収納部２の下部２ｃとの間で内向きに湾曲した円弧を形成する。
【００２０】
前記補強部５を備えた収納容器本体１は、該補強部５を形成しない収納容器本体１´（図５）と比較すると、図６の下段に示すように、該収納容器本体１´にかかる力Ｐと、同方向同程度の力Ｐが収納容器１にかかった場合でも、撓むことなく原形を保つことができ（図６上段）、耐久性を大幅に向上させることができる。
また、捩れ方向の力（図示せず）に対しても変形することなく該物品の製品寿命を長く確保することができる。
【００２１】
更に、図７に示すように、前記結合部４の外縁４ａおよび前記補強部５が形成する円弧の曲げ率の基礎となる円弧半径値ｒは、キャップ３と同一半径値ｒとした。尚、前記円弧半径値ｒは、キャップ３と略同一半径値ｒ´としても良い。
【００２２】
このような構造とすることにより、図８に示すように、該収納容器１を複数並べた場合であっても隙間を形成せず、梱包時に嵩張ることなく、一個当たりの配送コストを低く抑えることができる。
【００２３】
また、結合部外縁４ａおよび補強部５が形成する円弧形状は、使用者が、本実施形態に係る収納容器を手にした場合に、その円弧形状が手指に馴染むことから取り扱いが一層容易となる（図９）。
【００２４】
更に、別途ヒンジ部を設けるなど複雑な構造としていないことから清掃が容易となり、衛生上も好ましい容器となる。
【００２５】
〔第二の実施形態〕
以上、本発明の実施の形態について説明したが、この発明は上記の実施形態に限定されるものではない。以下に、第二の実施形態として、上記実施形態の変形例を示す。
【００２６】
図１０は本発明の異なる実施の形態に係る収納容器の閉蓋状態を示す斜視図、図１１は図１０の収納容器のキャップを外した状態を示す斜視図、図１２は図１０の収納容器の底側を示す斜視図である。図中に表れる符合は、上記第一の実施形態と同一の対象を表す。
【００２７】
本実施の形態による収納容器１は、収納部２が２つ連なったことを除くほかは、前記実施形態に掲げた発明が有する特徴と同一であるが、収納部２の直径を前記実施形態に係る収納部２より大きくすることとしてもよい。
【００２８】
更に、収納部２の数は、前述の実施形態に限られるものではなく、必要に応じて４つ以上の収納部２を備えた収納容器本体１及び収納容器としても良い。この場合、該収納部２の数が増えれば増えるほど、補強部５を具備しない収納容器と比較してその耐久性の違いがより顕著となる。
【産業上の利用可能性】
【００２９】
本発明に係る収納容器は、収納部の大きさや数を変更することで、様々な種類の収納物を対象とした収納容器として提供することができる。
【図面の簡単な説明】
【００３０】
【図１】本発明の一実施の形態に係る収納容器の閉蓋状態を示す斜視図である。
【図２】図１の収納容器のキャップを外した状態を示す斜視図である。
【図３】結合部を示す説明図である。
【図４】図１の収納容器の底側を示す斜視図である。
【図５】比較例を示す収納容器の底側を示す斜視図である。
【図６】収納容器にかかる力を示す説明図である。
【図７】図１の収納容器の底面図であって、円弧半径を示す説明図である。
【図８】収納容器を複数並べた状態を示す図である。
【図９】使用者が収納容器を握った状態を示す図である。
【図１０】本発明の異なる実施の形態に係る収納容器の閉蓋状態を示す斜視図である。
【図１１】図１０の収納容器のキャップを外した状態を示す斜視図である。
【図１２】図１０の収納容器の底側を示す斜視図である。
【符号の説明】
【００３１】
１    本発明に係る収納容器本体
２    収納部
３    キャップ
４    結合部
５    補強部
Ｐ    収納容器にかかる力
ｒ    円弧半径
ｔ    中心線  
【図１】
2008094415.tif 000003
【図２】
2008094415.tif 000004
【図３】
2008094415.tif 000005
【図４】
2008094415.tif 000006
【図５】
2008094415.tif 000007
【図６】
2008094415.tif 000008
【図７】
2008094415.tif 000009
【図８】
2008094415.tif 000010
【図９】
2008094415.tif 000011
【図１０】
2008094415.tif 000012
【図１１】
2008094415.tif 000013
【図１２】
2008094415.tif 000014